(57)【要約】【課題】障害箇所を容易に特定可能な光伝送システムを提供すること。【解決手段】ノードは、入力信号断検出部５１〜５ｎと、制御部６０と、ダミー光発生部７０と、光スイッチ８１〜８ｎとを備える。入力信号断検出部５１〜５ｎは上流側リンク毎に設けられ、波長多重光の状態を各リンクごとにモニタして入力断の有無を検出する。ダミー光発生部７０は、伝送される光信号と区別可能な光（以下ダミー光と称する）を発生する。このダミー光は上流側リンク毎に設けられる光スイッチ８１〜８ｎに入力される。制御部６０はいずれかの上流側リンクに入力断を検出すると、対応するリンクの光スイッチを制御してダミー光を接続する。これにより入力断の検出されたリンクの下流側にはダミー光が挿入される。【選択図】      図２
2006080777.tif 000002
【特許請求の範囲】
【請求項１】
光信号をトランスペアレントに伝送する複数のノードを、波長パスを設定可能なリンクを介して接続した光伝送システムにおいて、
前記複数のノードのそれぞれは、
前記リンクを介して受信する光信号を監視して前記リンクの断を検出する入力断検出手段と、
この入力断検出手段により前記リンクの断が検出された場合に、当該リンクを経由して下流側に至る波長パスに当該波長パスの波長に対応するダミー光を挿入するダミー光挿入手段とを備えることを特徴とする光伝送システム。
【請求項２】
光信号をトランスペアレントに伝送する複数のノードを、複数の波長パスを多重可能なリンクを介して接続した光伝送システムにおいて、
前記複数のノードのそれぞれは、
前記リンクを介して受信する光信号を監視して前記リンクの断を検出する入力断検出手段と、
この入力断検出手段により前記リンクの断が検出された場合に、当該リンクを経由して下流側に至る複数の波長パスのそれぞれに当該波長パスの波長に対応するダミー光を挿入するダミー光挿入手段とを備えることを特徴とする光伝送システム。
【請求項３】
前記ダミー光挿入手段は、前記複数の波長パスのそれぞれに対応する波長光を時分割的に順次発生させる波長切り替え型光源を備えることを特徴とする請求項２に記載の光伝送システム。
【請求項４】
前記ダミー光挿入手段は、前記複数の波長パスの最長波長から最短波長までの帯域以上の帯域を持つ広帯域光を発生させる広帯域型光源を備えることを特徴とする請求項２に記載の光伝送システム。
【請求項５】
光信号をトランスペアレントに伝送する複数のノードを、複数の波長パスを多重可能なリンクを介して接続した光伝送システムにおいて、
前記複数のノードのそれぞれは、
前記リンクに多重される複数の波長パスを個々に分離する波長分離手段と、
この波長分離手段により分離された各波長パスの状態を個別に監視する監視手段と、
この監視手段において光信号の無い波長パスが検出された場合に、当該波長パスにこの波長パスの波長に対応するダミー光を挿入するダミー光挿入手段とを備えることを特徴とする光伝送システム。
【発明の詳細な説明】
【技術分野】
【０００１】
本発明は、複数のノードを備え、各ノードにおいて光信号を電気信号に再生変換せずにトランスペアレントに伝送する光伝送システムに関する。この種のシステムは全光ネットワークとも称される。ノードには、例えばＯＡＤＭ（Optical Add/Drop Multiplexer）、ＰＸＣ（Photonic Cross Connect）装置、およびＷＤＭ（Wavelength Division Multiplexer）装置などがある。
【背景技術】
【０００２】
情報伝送システムに設けられるノードは、入力端に到来する信号が断となった場合に警報を発出する機能を有するものが多い。しかしながら全光ネットワークにおいては、ファイバカットなどによって或るノードの入力端において入力信号断が生じると、その下流側の全てのノードへの光信号が途絶えてしまう。よって入力信号断が下流のノードに連鎖的に波及し、障害箇所が一つであっても複数のノードから警報が発出されるため障害箇所の特定が非常に困難である。
【０００３】
さらに、未開通の波長パスや予備回線用の波長パスには光信号が流されないことが多く、従ってノードにおいては、これらのパスにつき障害が無くとも入力信号断が検出される。障害の有無を検証するには波長パスを開設するか、または予備回線への切替処理を実施することが必須となるため、やはり障害箇所の特定が難しいと言う困難がある。
【０００４】
下記特許文献１に、関連する技術が開示される。この文献に記載の技術は障害箇所の特定を容易にすることを、その目的とする。しかしながら伝送途中のノードにおいて各波長ごとに経路を入れ換える技術を要するために、本願発明の対象とするネットワークには該当しない。
【特許文献１】特開平１１−２５２０４９号公報
【発明の開示】
【発明が解決しようとする課題】
【０００５】
以上述べたように全光ネットワークには、障害箇所の特定が困難であるという不具合がある。本発明は上記事情によりなされたもので、その目的は、障害箇所を容易に特定可能な光伝送システムを提供することにある。
【課題を解決するための手段】
【０００６】
上記目的を達成するために本発明の一態様によれば、光信号をトランスペアレントに伝送する複数のノードを、波長パスを設定可能なリンクを介して接続した光伝送システムにおいて、前記複数のノードのそれぞれは、前記リンクを介して受信する光信号を監視して前記リンクの断を検出する入力断検出手段と、この入力断検出手段により前記リンクの断が検出された場合に、当該リンクを経由して下流側に至る波長パスに当該波長パスの波長に対応するダミー光を挿入するダミー光挿入手段とを備えることを特徴とする光伝送システムが提供される。
【０００７】
このような手段を講じることにより、入力信号断が検出された場合には光信号に代わるダミーの光信号が波長パスの下流側に挿入される。これにより入力断警報が下流側に波及することを防止できるようになるため、障害箇所の特定が容易になる。特に波長多重伝送システムにあってはリンクが切断されると全ての波長パスの光信号が失われる。そこで本発明では波長切り替え型光源を用いることにより、一つまたは少数の光源により全ての波長パスをカバーすることが可能にある。
【発明の効果】
【０００８】
本発明によれば障害箇所を容易に特定可能な光伝送システムを提供することができる。
【発明を実施するための最良の形態】
【０００９】
図１は、本発明において想定する光伝送システムを示す模式図である。このシステムは複数のノード１１〜１６を備え、各ノード１１〜１６はリンクＬを介してメッシュ状に接続される。各リンクＬは光ファイバであり、波長多重光を伝送する。各ノード１１〜１６は各波長の光信号を隣接ノードにトランスペアレントに伝送する。
【００１０】
図１において、例えばノード１１，１２間のリンクＬに障害が生じると、この障害はノード１２において検出される。これに応じてノード１２はＬＯＳ（Loss of Signal）警報を発出する。さらに、この障害によりノード１３，１４，１５にも光信号が達しなくなるので、これらのノードのいずれもがＬＯＳ警報を発出することになる。このように全光ネットワークにおいてはリンク障害がその下流のリンクへと次々に波及するため、障害箇所の特定が困難になることが知られている。以下に、このような事態を回避し得る実施形態を開示する。
【００１１】
［第１の実施形態］
図２は、本発明の光伝送システムに備わるノードの第１の実施形態を示す機能ブロック図である。このノードは図１のリンクＬに接続される入力ポートを複数備え、各ポートごとに波長分離部（ＷＤＭ）２１〜２ｎを備える。波長分離部２１〜２ｎはそれぞれリンクＬを介して到来する波長多重光を個々の波長光に分離し、光スイッチ部（光ＳＷ）３０に入力する。光スイッチ３０は各波長光の経路をスイッチングしたのち、波長多重部（ＷＤＭ）４１〜４ｎに入力する。波長多重部４１〜４ｎはスイッチング後の波長光を多重して下流側リンクに送出する。
【００１２】
ところで、図２のノードは、入力信号断検出部５１〜５ｎと、制御部６０と、ダミー光発生部７０と、光スイッチ８１〜８ｎとを備える。入力信号断検出部５１〜５ｎは上流側リンク毎に設けられ、波長多重光の状態を各リンクごとにモニタして入力断の有無を検出する。ダミー光発生部７０は、伝送される光信号と区別可能な光（以下ダミー光と称する）を発生する。このダミー光は上流側リンク毎に設けられる光スイッチ８１〜８ｎに入力される。制御部６０はいずれかの上流側リンクに入力断を検出すると、対応するリンクの光スイッチを制御してダミー光を接続する。これにより入力断の検出されたリンクの下流側にはダミー光が挿入される。
【００１３】
これにより本実施形態では、いずれかのリンクＬに障害が発生すると、その下流側の全ての波長パスにダミー光が挿入される。これにより或るリンクにＬＯＳ障害が生じたとしてもその下流側のリンクの光信号が失われることは無く、従って障害が下流側に波及することを防止できる。これにより障害箇所をただ一つに限定することが可能になり、その発生箇所を容易に特定することが可能になる。
【００１４】
［第２の実施形態］
図３は、本発明の光伝送システムに備わるノードの第２の実施形態を示す機能ブロック図である。なお図３において図２と共通する部分には同一の符号を付して示し、ここでは異なる部分についてのみ説明する。図３のノードは、光スイッチ３０の一つのポートに直接接続されるダミー光発生部９０を備える。ダミー光発生部９０は波長切り替え型光源を備え、波長が時分割的に変化するダミー光を発生する。
【００１５】
図３においていずれかのリンクに入力断が検出されると、制御部６０は直ちに光スイッチ３０を制御してダミー光を下流側リンクへの経路に接続する。ダミー光の波長は時分割的に変化するので、結果として下流側の全ての波長パスに順次ダミー光が挿入されることになる。このようにしても第１の実施形態と同様の効果を得られる。これに加え本実施形態では、波長ごとにダミー光発生部を設ける必要が無くなるので、ダミー光発生部の数を減らしてノードの構成を簡易化することが可能になる。特に全ての波長を出力可能な光源を用いればダミー光発生部９０はただ一つで足りるので、構成の簡易化に大きく寄与することができる。
【００１６】
さらに本実施形態では、波長切り替え型の光源に代えて、広帯域型の光源を用いるようにしても良い。すなわち全ての波長パスのうち、最長波長から最短波長までの帯域をカバーするスペクトラムを持つダミー光を発生させ得る光源を用いれば、下流側の全ての波長パスにダミー光を同時に挿入することができる。これによっても第１の実施形態における効果に加え、構成簡易化にさらに寄与できる。
【００１７】
［第３の実施形態］
図４は、本発明の光伝送システムに備わるノードの第３の実施形態を示す機能ブロック図である。なお図４において図２と共通する部分には同一の符号を付して示し、ここでは異なる部分についてのみ説明する。図４においては、波長分離部２１〜２ｎにより分離された後の各波長光ごとに、入力信号断検出部１１１〜１１ｐ，１ｎ１〜１ｎｑを設けるようにしている。いずれかの波長光の入力断が検出されると、制御部６０は光スイッチを制御してダミー光を下流側の信号経路に接続する。
【００１８】
このような構成により、波長パスごとに光信号の有無を監視し、ダミー光挿入を波長パスごとに個別に実施できるようになる。これにより、光信号が伝播していない未開設の波長パス、または予備回線として確保された状態の波長パスに対してダミー光を挿入し、対向ノードで入力信号断警報を監視してファイバカットなどの障害を検出することが可能になる。これにより障害検出に祭し、波長パスを実際に開設するか、または予備回線に切り替えるといった操作を行う必要が無くなる。従って障害の発生箇所を容易に特定できるばかりか、ネットワーク運用の利便性を向上させることが可能になる。
【００１９】
なお本発明は上記実施の形態に限定されるものではない。例えば図２の光スイッチ８１〜８ｎに代えて光カプラを用いても良い。また本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２０】
【図１】本発明において想定する光伝送システムを示す模式図。
【図２】本発明の光伝送システムに備わるノードの第１の実施形態を示す機能ブロック図。
【図３】本発明の光伝送システムに備わるノードの第２の実施形態を示す機能ブロック図。
【図４】本発明の光伝送システムに備わるノードの第３の実施形態を示す機能ブロック図。
【符号の説明】
【００２１】
１１〜１６…ノード、Ｌ…リンク、２１〜２ｎ…波長分離部、３０…光スイッチ、４１〜４ｎ…波長多重部、５１〜５ｎ…入力信号断検出部、６０…制御部、７０，９０…ダミー光発生部、８１〜８ｎ…光スイッチ、１１１〜１１ｐ，１ｎ１〜１ｎｑ…入力信号断検出部
【図１】
2006080777.tif 000003
【図２】
2006080777.tif 000004
【図３】
2006080777.tif 000005
【図４】
2006080777.tif 000006